(57)【要約】      （修正有）【課題】記念に残したい届出の記録を、より確実に、より見映えよく、保管するための届出記録用パッケージを提供する。【解決手段】届出の際に役所に提出するための届出用紙及び届出の記念に保管するための保管用紙が複写可能に積層された複写式届出用書類２と、保管用紙を挟持して保管するための、開閉自在に接続された２枚の挟持用台紙、及び、挟持用台紙の自由端に接続され、穴抜き加工によって少なくとも一の窓部が設けられた装飾用台紙を有する保管用台紙３と、複写式届出用書類２及び保管用台紙３を収容する包装袋４とを備える。【選択図】図１
0003213432.tif 000002
【実用新案登録請求の範囲】
【請求項１】
届出の際に役所に提出するための届出用紙及び届出の記念に保管するための保管用紙が複写可能に積層された複写式届出用書類と、
前記保管用紙を挟持して保管するための、開閉自在に接続された２枚の挟持用台紙、及び、前記挟持用台紙の自由端に接続され、穴抜き加工によって少なくとも一の窓部が設けられた装飾用台紙を有する保管用台紙と、
前記複写式届出用書類及び保管用台紙を収容する包装体と、
を備える届出記録用パッケージ。
【請求項２】
請求項１に記載の届出記録用パッケージであって、
前記保管用台紙は、保管用紙を固定するための固定部を有することを特徴とする届出記録用パッケージ。
【請求項３】
請求項１又は請求項２に記載の届出記録用パッケージであって、
前記保管用紙は、前記届出用紙とデザインが一部異なることを特徴とする届出記録用パッケージ。
【請求項４】
請求項１〜３のいずれか一に記載の届出記録用パッケージであって、
前記届出用紙は、婚姻届又は出生届であることを特徴とする届出記録用パッケージ。
【考案の詳細な説明】
【技術分野】
【０００１】
本考案は、役所への届出の思い出を記念に残すための届出記録用パッケージに関する。
【背景技術】
【０００２】
結婚や子の誕生のような慶事に際し、その瞬間を思い出せる記念の品を残したいというニーズが存在する。その方法としては、結婚式や誕生直後の子の様子を写真やビデオで撮影することが一般的である。
【０００３】
また、近年、一般家庭へのコピー機の普及に伴い、役所へ提出する婚姻届や出生届等の届出書類をコピーして手元に残すという人も増えてきている。役所への届出は、結婚や子の誕生の事実が公に認められるために必須の行為であるため、届出書類自体にも記念の品としての価値が見出されているのである。
【０００４】
届出書類のコピーを保管するための専用ファイル（特許文献１参照）の登場は、このような風潮を象徴しているということができる。特許文献１に開示された書類保管用ファイルは、届出書類のコピーを、記念の品として、写真やその他の記録と共に、長期的に綺麗に保管することを目的としたファイルである。
【先行技術文献】
【特許文献】
【０００５】
【特許文献１】実用新案登録第３１９２５０４号
【考案の概要】
【考案が解決しようとする課題】
【０００６】
しかしながら、特許文献１に開示された技術では、保管したい届出書類を、誤って、コピーを取る前に役所へ提出してしまうという失敗を防ぐことができなかった。役所への届出書類は提出すると返還されないため、この程度の失敗によって、大事な生涯の記念の品を保管し損じることになり得るのである。
【０００７】
また、記念すべき届出の記録を、保管するだけでなく、インテリアとして飾りたいというニーズも生まれてきており、より装飾性に富んだデザインの保管用グッズが求められている。
【０００８】
本考案は、従来のこのような事情に鑑みてなされたものである。本考案の主な目的は、記念に残したい届出の記録を、より確実に、より見映えよく、保管するための届出記録用パッケージを提供することにある。
【課題を解決するための手段及び考案の効果】
【０００９】
本考案の第１の側面に係る届出記録用パッケージによれば、届出の際に役所に提出するための届出用紙及び届出の記念に保管するための保管用紙が複写可能に積層された複写式届出用書類と、前記保管用紙を挟持して保管するための、開閉自在に接続された２枚の挟持用台紙、及び、前記挟持用台紙の自由端に接続され、穴抜き加工によって少なくとも一の窓部が設けられた装飾用台紙を有する保管用台紙と、前記複写式届出用書類及び保管用台紙を収容する包装体とを備えることができる。前記構成により、届出用紙が保管用紙の上に積層された状態で届出用紙に必要事項を記入することで、記入を終えた届出用紙を役所へ提出することで届出を行うことができ、さらに、届出用紙に記入された内容が複写された保管用紙を保管用台紙に挟んで保管することで、届出の思い出を記念に残すことができる。また、装飾用台紙の窓部に合わせて写真を飾ることができるため、写真立てとして飾りながら記念の品を保管することができる。
【００１０】
また、本考案の第２の側面に係る届出記録用パッケージによれば、前記保管用台紙は、保管用紙を固定するための固定部を有するよう構成できる。前記構成により、保管用台紙に保管用紙を挟むだけでなく固定することで、保管用台紙から保管用紙が脱落することを防ぐことができる。
【００１１】
さらにまた、本考案の第３の側面に係る届出記録用パッケージによれば、前記保管用紙は、前記届出用紙とデザインが一部異なるよう構成できる。前記構成により、届出用紙には記入しない事柄を記入するための欄を保管用紙に設けることができるため、より多くの情報を思い出として残すことができる。
【００１２】
さらにまた、本考案の第４の側面に係る届出記録用パッケージによれば、前記届出用紙を、婚姻届又は出生届とすることができる。
【図面の簡単な説明】
【００１３】
【図１】本考案を適用した届出記録用パッケージの全体構成を示す概略図である。
【図２】複写式届出用書類の構成の説明図である。
【図３Ａ】展開された保管用台紙の表面を示す図である。
【図３Ｂ】展開された保管用台紙の裏面を示す図である。
【考案を実施するための形態】
【００１４】
以下、本考案の実施の形態を図面に基づいて説明する。ただし、以下に示す実施の形態は、本考案の技術思想を具体化するための届出記録用パッケージを例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
【００１５】
本考案は、例えば、図１に示すような構成の届出記録用パッケージ１に適用される。
（届出記録用パッケージ１の構成）
【００１６】
届出記録用パッケージ１は、結婚や子の誕生の際に必要な役所への届出と、届出の記録の保管とに必要な道具が一式揃ったキットである。届出記録用パッケージ１は、図１に示すように、届出の際に役所に提出するための届出用紙２１及び届出の記念に保管するための保管用紙２２が複写可能に積層された複写式届出用書類２と、保管用紙２２を挟持して保管するための保管用台紙３と、複写式届出用書類２及び保管用台紙３を収容するための包装袋４（実用新案登録請求の範囲における「包装体」の一例に対応する。）とを主要部として備える他、必要に応じて、使用方法や届出用紙２１の記入例等が掲載された商品説明書や、役所等において本届出記録用パッケージ１の届出用紙２１を届出書類として用いることに対する理解や協力を求めるための説明書等を備えることができる。
（複写式届出用書類２）
【００１７】
複写式届出用書類２は、図２に示すように、届出用紙２１が保管用紙２２の上に重ねられ、届出用紙２１への記入内容を保管用紙２２に複写することができるよう構成された書類である。届出用紙２１と保管用紙２２とは、互いにずれないように、周縁部の一部（例えば縁部２３）において、剥離可能に接着されている。
【００１８】
複写式届出用書類２には、例えば、ノーカーボン紙を使用することができる。この場合、届出用紙２１に上用紙、保管用紙２２に下用紙が用いられるとよい。
【００１９】
このように、役所へ提出する届出用紙２１と記念に保管するための保管用紙２２とを複写可能に積層することで、使用者が役所への提出のために届出用紙２１に必要事項を記入すると同時に、保管用の記念の品となる保管用紙２２にも、届出用紙２１への記入内容と同じ内容が複写されるため、記入後に改めてコピーを取る必要がなくなる。
（届出用紙２１）
【００２０】
届出用紙２１は、届出の際に役所に提出するための所定の様式を備えた紙である。所定の様式とは、届出用紙２１を婚姻届とする場合には、戸籍法施行規則附録第１２号様式であり、届出用紙２１を出生届とする場合には、戸籍法施行規則附録第１１号様式である。なお、出生届には出生証明書の添付が義務付けられているため、届出用紙２１を出生届とする場合には、出生届の様式と出生証明書の様式（出生証明書の様式等を定める省令で定められている様式）とを兼ね備えた届出用紙２１とすることが望ましい。
【００２１】
また、届出用紙２１の余白部分には、任意の模様やイラスト等が印刷されていてもよい。これにより、使用者は、デザイン性のある届出用紙２１によって届出を行うことができる。
【００２２】
なお、余白部分にデザイン性を持たせた婚姻届や出生届は、歴史が浅く認知度も決して高いとは言えないため、届出記録用パッケージ１には、役所における届出の受理の担当者や出生証明書の記入を依頼する医師等に理解と協力を求めるための説明書が備えられているとよい。
（保管用紙２２）
【００２３】
保管用紙２２は、役所へ提出する届出用紙２１の代わりに、届出の記念の品として使用者の手元に保管するための紙である。保管用紙２２は、届出用紙２１と略同様の様式からなるが、記入欄が部分的に省略されていたり、届出用紙２１にはない記入欄が追加されていたりしてもよい。保管用紙２２特有の記入欄としては、例えば、届出用紙２１が婚姻届である場合には「交際開始日」や「プロポーズの様子」等が、届出用紙２２が出生届である場合には「名前の由来」や「生まれたときの様子」等が考えられる。このように、保管用紙２２のデザインが届出用紙２１と一部異なることにより、戸籍管理のための事務的な記録だけではなく、届出に関する様々な思い出を、届出の記録として残すことができる。
【００２４】
また、保管用紙２２も届出用紙２１と同様に、余白部分に任意の模様やイラスト等が印刷されていてもよい。さらに、諸事項の記入欄がデザイン性のある罫線によって形成されていてもよい。これにより、使用者は、デザイン性のある保管用紙２２によって届出の記録を残すことができ、見返す楽しみも倍増する。
（保管用台紙３）
【００２５】
保管用台紙３は、保管用紙２２を皺にならないように挟持すると共に、インテリアとして飾りながら保管するための台紙である。図３Ａ及び図３Ｂは共に保管用台紙３を展開した様子を示す図であり、図３Ａは保管用台紙３の表面を、図３Ｂは保管用台紙３の裏面を示している。保管用台紙３は、図３Ａ及び図３Ｂに示すように、挟持用台紙３１が２枚と、装飾用台紙３２が１枚とが連なってなる台紙である。ここで、挟持用台紙３１同士の接続部を第一接続部３３、挟持用台紙３１と装飾用台紙３２との接続部を第二接続部３４と称す。挟持用台紙３１及び装飾用台紙３２の寸法は、二つ折りにした保管用紙２２の寸法より若干大きい程度（「台紙基準寸法」と称す。）であればよい。
【００２６】
保管用台紙３は、例えば、台紙基準寸法の３倍の大きさを有する１枚の板紙に、台紙基準寸法毎にハーフカット加工が施されたものであればよい。この場合、第一接続部３３においては、裏面側からハーフカット加工が施され、挟持用台紙３１同士が、互いの表面同士が対面する向きに開閉自在となっている。また、第二接続部３４においては、表面側からハーフカット加工が施され、装飾用台紙３２と、装飾用台紙３２に連接する挟持用台紙３１とが、互いの裏面同士が対向する向きに開閉自在となっている。
【００２７】
装飾用台紙３２には、穴抜き加工によって複数の窓部３５が設けられている。また、装飾用台紙３２の表面には、箔押し加工等により、華やかな装飾が施されている。さらに、装飾用台紙３２の表面に、型押し加工等により、記念として指紋や手形等を押すためのスペースを設けてもよい。
【００２８】
例えば、出生届用の届出記録用パッケージ１の場合には、装飾用台紙３２は、図３Ａに示されているように、中央に大きな窓部３５を１個と、それを囲むように配された１２個の小さな窓部３５を備え、各窓部３５付近に月齢を示す数字が箔押し加工等によりあしらわれたデザインとすることができる。
【００２９】
また、図３Ｂに示されているように、装飾用台紙３２に連接する挟持用台紙３１の裏面には、装飾用台紙３２に設けられた窓部３５に対応した枠３６が印刷されている。枠３６は、保管用台紙３に写真等を貼付する際の位置や大きさの目安となるものであり、形状が窓部３５と略等しく、大きさが窓部３５より一回り大きいものが望ましい。
【００３０】
装飾用台紙３２に連接する挟持用台紙３１の表面の、第二接続部３４近傍には第一糊部３７（実用新案登録請求の範囲における「固定部」の一例に対応する。）が設けられている。第一糊部３７は、保管用紙２２を保管用台紙３に固定するための部材であり、例えば、片面を剥離紙に覆われた両面テープが貼付されていればよい。また、装飾用台紙３２と連接する挟持用台紙３１の裏面には、第一接続部３３近傍及び第二接続部３４近傍に第二糊部３８が設けられている。第二糊部３８は、装飾用台紙３２を挟持用台紙３１に固定するための部材であり、第一糊部３７と同様に、両面テープ等により構成される。
【００３１】
なお、ここでは装飾用台紙３２を１枚有する保管用台紙３について説明したが、保管用台紙３の構成はこれに限定されず、例えば２枚の挟持用台紙３１の各々に装飾用台紙３２が１枚ずつ接続されていてもよい。
（包装袋４）
【００３２】
包装袋４は、複写式届出用書類２及び保管用台紙３を収容して一纏めにするための部材である。包装袋４には、例えば、テープ付ＯＰ袋を用いることができる。
（届出記録用パッケージ１の使用方法及び作用）
【００３３】
複写式届出用書類２及び保管用台紙３の使用方法を以下に説明する。
【００３４】
使用者は、まず、複写式届出用書類２の届出用紙２１が保管用紙２２の上に積層された状態で、届出用紙２１に必要事項を記入する。役所への届出を行う際には、届出用紙２１と保管用紙２２とを分離し、届出用紙２１を提出用に使用する。
【００３５】
手元に残った保管用紙２２については、特有の記入欄（「プロポーズの様子」や「名前の由来」等）への記入を行い、第一糊部３７を利用して保管用台紙３に固定する。これにより、使用者は、保管用紙２２を２枚の挟持用台紙３１上に広げて鑑賞することができ、挟持用台紙３１を閉じれば、保管用紙２２を二つ折りの状態で皺にならないように保管することができる。
【００３６】
さらに、装飾用台紙３２に連接する挟持用台紙３１の裏面にある枠３６に合わせて好みの写真等を切り貼りし、第二糊部３８を利用して装飾用台紙３２を挟持用台紙３１に固定することで、保管用台紙３を写真立てとして利用することができる。
【００３７】
なお、図３Ａ及び図３Ｂに示されているような出生届用の保管用台紙３を使用する場合には、子が各月齢を迎える度に、写真を撮影し、当該月齢の枠３６に写真を貼り足していく。これにより、子が生まれてから一年間の成長の記録を写真でも残すことができる。
【００３８】
以上説明したように、本考案に係る届出記録用パッケージによれば、記念に残したい届出の記録を、より確実に、より見映えよく、保管することができる。
【００３９】
なお、本考案は前述した実施の形態のみに限定されるものではなく、本考案の要旨を逸脱しない範囲において種々の変更が可能であることは勿論である。
【産業上の利用可能性】
【００４０】
本考案に係る届出記録用パッケージは、婚姻届や出生届等の提出の記録を保管する用途に使用できる。
【符号の説明】
【００４１】
１…届出記録用パッケージ
２…複写式届出用書類、２１…届出用紙、２２…保管用紙、２３…縁部
３…保管用台紙
３１…挟持用台紙、３２…装飾用台紙、３３…第一接続部、３４…第二接続部、３５…窓部、３６…枠、３７…第一糊部、３８…第二糊部
４…包装袋
【図１】
0003213432.tif 000003
【図２】
0003213432.tif 000004
【図３Ａ】
0003213432.tif 000005
【図３Ｂ】
0003213432.tif 000006